(57)【要約】【課題】  複数の進捗情報を循環的に切替表示する際、一定の時間間隔で切り替えることが可能な進捗情報表示制御システムを提供する。【解決手段】  工程管理端末３０ａ〜３０ｄは、定期的に各工程の進捗情報を進捗情報管理サーバ１０に送信し、進捗情報管理サーバ１０は、受信した進捗情報を進捗情報データベース１１に登録する。また、進捗情報管理サーバ１０は、表示端末２０から進捗情報の要求を受信すると、進捗情報送信手段１４が、進捗情報データベース１１から進捗情報を抽出し、進捗情報を送信する。進捗情報表示装置２０では、進捗情報を受信すると、応答時間記憶部２１から応答時間を取得し、設定表示間隔から減じて待機時間を算出し、待機時間の経過後、表示処理を行う。【選択図】  図１
2012053805.tif 000002
【特許請求の範囲】
【請求項１】
工程管理端末と、進捗情報管理サーバと、進捗情報表示装置が通信ネットワークを介して接続されたシステムであって、
前記工程管理端末は、作業機器から取得した進捗情報を前記進捗情報管理サーバに送信するものであり、
前記進捗情報管理サーバは、
前記工程管理端末から受信した進捗情報を進捗情報データベースに登録する進捗情報取得手段と、
前記進捗情報表示装置からの要求に応じて、前記進捗情報データベースから進捗情報を抽出し、要求元の進捗情報表示装置に進捗情報を送信する進捗情報表示と、を有し、
前記進捗情報表示装置は、各工程ごとに進捗情報の応答時間を記憶する応答時間記憶部と、
進捗情報の要求を前記進捗情報管理サーバに対して行い、前記進捗情報管理サーバから受信した進捗情報に対応する応答時間およびその直前の工程についての応答時間を前記応答時間記憶部より抽出し、設定された表示間隔に直前の工程ＩＤの応答時間を加算するとともに、次の工程ＩＤの応答時間を減じた待機時間を算出し、当該待機時間の経過後、表示処理を行う表示制御手段を有することを特徴とする進捗情報表示制御システム。
【請求項２】
前記表示制御手段は、さらに前記進捗情報の要求時の時刻と、前記進捗情報の受信時の時刻を保持し、両時刻の差分を応答時間として算出し、前記応答時間記憶部に登録する処理を行うことを特徴とする請求項１に記載の進捗情報表示制御システム。
【請求項３】
進捗情報管理サーバと接続され、所定の順序で進捗情報管理サーバに対して進捗情報を要求するとともに、受信した進捗情報を一定の間隔になるように表示制御する装置であって、
各工程ごとに進捗情報の応答時間を記憶する応答時間記憶部と、
進捗情報の要求を前記進捗情報管理サーバに対して行い、前記進捗情報管理サーバから受信した進捗情報に対応する応答時間およびその直前の工程についての応答時間を前記応答時間記憶部より抽出し、設定された表示間隔に直前の工程ＩＤの応答時間を加算するとともに、次の工程ＩＤの応答時間を減じた待機時間を算出し、当該待機時間の経過後、表示処理を行う表示制御手段と、
を有することを特徴とする進捗情報表示装置。
【請求項４】
前記表示制御手段は、さらに前記進捗情報の要求時の時刻と、前記進捗情報の受信時の時刻を保持し、両時刻の差分を応答時間として算出し、前記応答時間記憶部に登録する処理を行うことを特徴とする請求項３に記載の進捗情報表示装置。
【請求項５】
請求項３または請求項４に記載の進捗情報表示装置としてコンピュータを機能させるためのプログラム。
【発明の詳細な説明】
【技術分野】
【０００１】
本発明は、所定の情報を順次切り替えて表示する技術に関し、特に、個々の表示内容による処理負荷に影響されず、一定時間毎に表示を切り替える技術に関する。
【背景技術】
【０００２】
従来、複数の情報を一定時間間隔で循環的に切替表示することが行われている（例えば、特許文献１参照）。このような従来の手法は、表示対象となる情報のデータ形式が同一であり、また、データ量が均一である場合に、特に有効である。
【先行技術文献】
【特許文献】
【０００３】
【特許文献１】特開２００２−２２２３６３号公報
【発明の概要】
【発明が解決しようとする課題】
【０００４】
しかしながら、上記従来の手法では、データ形式が異なっている場合や、データ量が均一でない場合には、処理負荷が異なり、一定時間間隔で切替表示することができないという問題がある。特に、業務における各工程の進捗管理をＷＥＢページとしてスライドショー的（循環的）に切替表示する場合、工程によりデータベースにアクセスして大量のデータを参照するページや、少量のデータのみしか参照しないページ、さらには表形式のファイルをＨＴＭＬファイルに変換しただけのページ等があり、完全に表示されるまでのレスポンス（応答）差がそれぞれ大きく異なっていた。そのため、一定時間毎にページを切り替える処理を、コンピュータ等の処理装置で内部的に行っても、実際に画面に表示される時間に大きなばらつきがあった。
【０００５】
例えば、図３に示すように、Ａ、Ｂ、Ｃ、Ｄの４工程からなる業務の進捗情報を循環的表示させる場合を考えてみる。この場合、処理装置側では、一定の時間で切り替える処理を行ったとしても、実際には、Ａ工程からＢ工程に切り替わるのに２５秒、Ｂ工程からＣ工程に切り替わるのに１５秒、Ｃ工程からＤ工程に切り替わるのに３０秒、Ｄ工程からＡ工程に切り替わるのに１０秒をそれぞれ要し、切替時間が一定とならない。図３の例では、処理装置においては、Ａ工程の進捗情報が表示されてから、２０秒後にＢ工程の進捗情報を表示する処理を行ったとしても、Ｂ工程の進捗情報は、表示されるまで５秒を要するようなデータ量、構造を有しているため、切り替えに２５秒を要する。このため、Ｂ工程の進捗情報が表示される時間は削られて１５秒間となっている。
【０００６】
これに対して、ページ毎に表示時間を調整できるようにし、内部的にページを切り替える時間をそれぞれ異ならせ、実際に画面に表示される時間をほぼ一定とする手法も考えられる。しかし、この手法でも、データベースの処理量が異なるため、常に表示時間を一定とすることは難しい。例えば、業務開始時（朝９時頃）と業務終了前（１８時頃）では、データベースの処理量が異なり、朝から夕方になるにつれてレスポンス（応答）が遅くなり、画面に表示される時間が徐々にばらつくことがある。
【０００７】
例えば、図４に示すように、Ａ、Ｂ、Ｃ、Ｄの４工程からなる業務の進捗情報を業務開始時（朝９時頃）と業務終了前（１８時頃）に循環的表示させる場合を考えてみる。この場合、処理装置側では、ページを切り替える時間をそれぞれ異ならせ、業務開始時に画面に表示される時間をほぼ一定とする処理を行う。この結果、図４（ａ）に示すように、業務開始時には、２０秒の一定間隔で切替表示されるようになるが、図４（ｂ）に示すように、業務終了前には、２切替時間が一定とならない。
【０００８】
そこで、本発明は、複数の進捗情報を循環的に切替表示する際、一定の時間間隔で切り替えることが可能な進捗情報表示制御システムを提供することを課題とする。
【課題を解決するための手段】
【０００９】
上記課題を解決するため、本発明第１の態様では、工程管理端末と、進捗情報管理サーバと、進捗情報表示装置が通信ネットワークを介して接続されたシステムであって、前記工程管理端末は、作業機器から取得した進捗情報を前記進捗情報管理サーバに送信するものであり、前記進捗情報管理サーバは、前記工程管理端末から受信した進捗情報を進捗情報データベースに登録する進捗情報取得手段と、前記進捗情報表示装置からの要求に応じて、前記進捗情報データベースから進捗情報を抽出し、要求元の進捗情報表示装置に進捗情報を送信する進捗情報表示と、を有し、前記進捗情報表示装置は、各工程ごとに進捗情報の応答時間を記憶する応答時間記憶部と、進捗情報の要求を前記進捗情報管理サーバに対して行い、前記進捗情報管理サーバから受信した進捗情報に対応する応答時間およびその直前の工程についての応答時間を前記応答時間記憶部より抽出し、設定された表示間隔に直前の工程ＩＤの応答時間を加算するとともに、次の工程ＩＤの応答時間を減じた待機時間を算出し、当該待機時間の経過後、表示処理を行う表示制御手段を有する進捗情報表示制御システムを提供する。
【００１０】
本発明第１の態様によれば、進捗情報管理サーバが、工程管理端末から受信した進捗情報を進捗情報データベースに登録する一方、進捗情報表示装置からの要求に応じて、進捗情報データベースから進捗情報を抽出して送信し、進捗情報表示装置は、各工程ごとに進捗情報の応答時間を記憶しており、進捗情報管理サーバから受信した進捗情報に対応する応答時間および直前の工程の応答時間を取得し、設定された表示間隔に直前の工程ＩＤの応答時間を加算するとともに、次の工程ＩＤの応答時間を減じた待機時間を算出し、待機時間の経過後、表示処理を行うようにしたので、複数の進捗情報を循環的に切替表示する際、一定の時間間隔で切り替えることが可能となる。
【００１１】
また、本発明第２の態様では、本発明第１の態様の進捗情報表示制御システムにおいて、前記表示制御手段は、さらに前記進捗情報の要求時の時刻と、前記進捗情報の受信時の時刻を保持し、両時刻の差分を応答時間として算出し、前記応答時間記憶部に登録する処理を行うことを特徴とする。
【００１２】
本発明第２の態様によれば、進捗情報の要求時の時刻と、進捗情報の受信時の時刻の差分を応答時間として算出するようにしたので、応答時間が常に最新の状況に応じて変更されるため、状況が変化しても、常に一定の時間間隔で切り替え表示を行うことが可能となる。
【発明の効果】
【００１３】
本発明によれば、複数の進捗情報を循環的に切替表示する際、一定の時間間隔で切り替えることが可能となるという効果を有する。
【図面の簡単な説明】
【００１４】
【図１】本発明に係る進捗情報表示制御システムの一実施形態を示す構成図である。
【図２】本発明に係る進捗情報表示制御システムによる表示遷移の様子を示す図である。
【図３】遅延処理を行わない従来技術による表示遷移の様子を示す図である。
【図４】ある一時点においてのみ遅延処理を行う従来技術による表示遷移の様子を示す図である。
【図５】進捗情報表示装置２０による表示制御処理を示すフローチャートである。
【図６】表示制御手段２２による表示制御処理と、実際の画面表示との関係を示す図である。
【発明を実施するための形態】
【００１５】
（１．システム構成）
以下、本発明の好適な実施形態について図面を参照して詳細に説明する。図１は、本発明に係る進捗情報表示制御システムの一実施形態を示す構成図である。図１に示す進捗情報表示制御システム１００は、進捗情報管理サーバ１０、進捗情報表示装置２０、工程管理端末３０が通信ネットワーク４０により接続されて構成されている。
【００１６】
進捗情報管理サーバ１０は、工程管理端末３０から工程の進捗情報を受信して、蓄積するとともに、進捗情報表示装置２０の要求に応じて、蓄積された進捗情報を進捗情報表示装置２０に送信するサーバコンピュータであり、進捗情報データベース１１、進捗情報取得手段１３、進捗情報送信手段１４を有する。
【００１７】
進捗情報データベース１１は、工程管理端末３０から通信ネットワーク４０を介して受信した進捗情報を蓄積するものである。進捗情報データベース１１は、ハードディスク等の記憶装置により実現される。
【００１８】
進捗情報取得手段１３は、工程管理端末３０から通信ネットワーク４０を介して進捗情報を受信し、受信した進捗情報を進捗情報データベース１１に登録するものである。進捗情報送信手段１４は、進捗情報表示装置２０から表示要求があった場合に、進捗情報を進捗情報表示装置２０に送信する処理を行う。進捗情報管理サーバ１０は、ＣＰＵ、メモリ、記憶装置等を有する汎用のサーバコンピュータに専用のプログラムを組み込むことにより実現され、進捗情報取得手段１３、進捗情報送信１４は、記憶装置に格納されたプログラムをＣＰＵが読み込んで実行することにより実現される。
【００１９】
進捗情報表示装置２０は、利用者が、進捗情報を表示するための端末装置であり、進捗情報管理サーバ１０に対して進捗情報の要求を行い、受信した進捗情報についてタイミング制御を行って表示を行う。進捗情報表示装置２０は、応答時間記憶部２１、表示制御手段２２を有する。応答時間記憶部２１は、過去の表示処理時に要した時間を各工程ごとに記録したものである。応答時間記憶部１２は、ハードディスク等の記憶装置により実現される。表示制御手段２２は、進捗情報管理サーバ１０に進捗情報の要求を行うとともに、進捗情報管理サーバ１０から進捗情報を受信した場合に、応答時間記憶部２１を参照して過去の応答時間を取得し、その応答時間に基づいて算出した待機時間を用いて表示する制御を行う。
【００２０】
進捗情報表示装置２０は、ＣＰＵ、メモリ、記憶装置等を有するとともに、表示手段、内部時計を備え、ネットワーク接続機能を有する汎用のコンピュータに専用のプログラムを組み込むことにより実現され、表示制御手段２２は、記憶装置に格納されたプログラムをＣＰＵが読み込んで実行することにより実現される。表示制御手段２２を実現するプログラムには、要求する進捗情報の工程ＩＤおよびその順序が記述されており、ＣＰＵがこのプログラムを実行することにより、定められた順序で工程ＩＤを指定した進捗情報の要求を行う。工程管理端末３０は、所定の作業工程を実行する作業機器に接続され、作業機器から進捗情報を取得する端末装置であり、ネットワーク通信機能を有する汎用のコンピュータにより実現される。図１の例では、工程管理端末３０として、３０ａ〜３０ｄの４つが示されているが、実際には、必要な工程の数だけ設置される。通信ネットワーク４０は、進捗情報管理サーバ１０、進捗情報表示装置２０、工程管理端末３０間においてデータの送受信を実現するコンピュータネットワークである。
【００２１】
（２．処理動作・進捗情報蓄積処理）
次に、本実施形態に係る進捗情報表示制御システムの処理動作について説明する。工程管理端末３０は、各工程に作業機器が起動すると、その駆動を監視し、その作業機器による進捗情報を取得する。そして、工程管理端末３０は、取得した進捗情報を、工程を特定する識別情報である工程ＩＤとともに、定期的に進捗情報管理サーバ１０に送信する。
【００２２】
進捗情報管理サーバ１０では、工程管理端末３０から工程ＩＤと進捗情報を受信すると、進捗情報取得手段１３が、工程ＩＤと進捗情報を対応付けて進捗情報データベース１１に登録する。進捗情報データベース１１にその工程ＩＤについての進捗情報が記録されている場合は、新たに受信した進捗情報で、既に記録されている進捗情報に上書きすることにより、進捗情報を更新する。
【００２３】
工程ＩＤは、各工程管理端末により異なっている。各工程管理端末３０は、それぞれ定期的に進捗情報を進捗情報管理サーバ１０に送信する。これにより、進捗情報管理サーバ１０の進捗情報データベース１１には、各工程管理端末３０に対応した工程ＩＤごとに進捗情報が蓄積、更新されていくことになる。なお、実際には、複数の工程を１つの工程管理端末により管理することが可能であるが、この場合は、１つの工程管理端末が、複数の工程ＩＤの進捗情報を定期的に進捗情報管理サーバ１０に送信する。
【００２４】
上記のような、各工程管理端末３０の進捗情報の送信、進捗情報管理サーバ１０における進捗情報の蓄積・更新処理は、進捗情報表示装置２０からの要求に基づく進捗情報の送信処理とは無関係に随時行われる。
【００２５】
（３．処理動作・表示制御処理）
次に、表示制御処理について説明する。図５は、進捗情報表示装置２０による表示制御処理を示すフローチャートである。進捗情報表示装置２０においては、複数の進捗情報を切替表示する場合における、表示間隔を設定しておくことができる。設定された表示間隔は、進捗情報表示装置２０が管理する記憶装置内の表示制御手段２２が参照可能な領域に記憶されている。本実施形態では、表示間隔２０秒で設定されている場合について説明する。
【００２６】
利用者は、進捗情報表示装置２０から進捗情報管理サーバ１０に対して進捗情報の表示要求を行うことができる。進捗情報表示装置２０から進捗情報管理サーバ１０への表示要求は、様々な形態で行うことができるが、本実施形態では、進捗情報表示装置２０においてＷＥＢブラウザを起動し、進捗情報管理サーバ１０にアクセスすることにより実現される。
【００２７】
進捗情報表示装置２０に対して、利用者が進捗情報の表示要求指示を行うと、進捗情報表示装置２０では、表示制御手段２２が、事前に設定された工程ＩＤおよびその順番に従って、進捗情報の要求を進捗情報管理サーバ１０に送信する（Ｓ１）。ただし、進捗情報の要求は１つの工程ごとに行われる。したがって、表示制御手段２２は１つの工程ＩＤとともにその進捗情報の要求を進捗情報管理サーバ１０に送信することになる。表示制御手段２２では、この進捗情報要求の送信時の時刻を内部時計から取得し、進捗情報要求時刻としてメモリに一時的に保持しておく（Ｓ２）。
【００２８】
進捗情報管理サーバ１０では、進捗情報表示装置２０から進捗情報の要求を受信すると、進捗情報送信手段１４が、進捗情報データベース１１に保存されている進捗情報のうち、進捗情報表示装置２０からの要求のあった工程ＩＤのものを進捗情報データベース１１から抽出し、工程ＩＤとともに進捗情報表示装置２０に送信する。なお、進捗情報の形式に特に限定はないが、本実施形態では、ＨＴＭＬ形式としている。
【００２９】
進捗情報表示装置２０は、進捗情報管理サーバ１０から工程ＩＤとともに進捗情報を受信する（Ｓ３）。表示制御手段２２では、この進捗情報要求の受信時の時刻を内部時計から取得し、進捗情報受信時刻としてメモリに一時的に保持しておく。そして、受信した進捗情報に対応する応答時間が登録されているかどうかを判断する（Ｓ４）。具体的には、進捗情報とともに受信した工程ＩＤに対応する応答時間が応答時間記憶部２１に登録されているかどうかにより行われる。応答時間が登録されていない場合には、進捗情報表示装置２０では、進捗情報管理サーバ１０から進捗情報を受信すると、表示制御手段２２が、そのまま受信した進捗情報を画面に表示する（Ｓ７）。本実施形態では、ＨＴＭＬデータとして受け取った進捗情報をＷＥＢブラウザが展開して画面表示することになる。
【００３０】
続いて、表示制御手段２２は、一時的に保持してある進捗情報要求時刻と進捗情報受信時刻の差である差分時間を応答時間として算出し、工程ＩＤと対応付けて応答時間記憶部２１に登録する（Ｓ８）。応答時間記憶部２１にその工程ＩＤについての応答時間が記録されている場合は、新たに算出した応答時間で、既に記録されている応答時間に上書きすることにより、応答時間を更新する。
【００３１】
応答時間の登録が終わったら、表示制御手段２２は、次の工程についての進捗情報の要求を進捗情報管理サーバ１０に送信する（Ｓ１）。最初の工程ＩＤの場合と同様、表示制御手段２２では、この進捗情報要求の送信時の時刻を内部時計から取得し、進捗情報要求時刻としてメモリに一時的に保持しておく（Ｓ２）。進捗情報管理サーバ１０では、進捗情報表示装置２０から進捗情報の要求を受信すると、進捗情報送信手段１４が、進捗情報データベース１１に保存されている進捗情報のうち、進捗情報表示装置２０からの要求のあった工程ＩＤのものを進捗情報データベース１１から抽出し、工程ＩＤとともに進捗情報表示装置２０に送信する。
【００３２】
進捗情報表示装置２０では、進捗情報管理サーバ１０から進捗情報を受信する（Ｓ３）と、受信した進捗情報に対応する応答時間が登録されているかどうかを判断する（Ｓ４）。進捗情報に対応する応答時間が登録されている場合、表示制御手段２２は、待機時間の算出を行う（Ｓ５）。具体的には、表示制御手段２２が、受信した進捗情報の工程ＩＤで応答時間記憶部２１を参照し、その工程ＩＤに対応する応答時間を取得する。そして、直前に取得した工程ＩＤ（現在表示中の工程ＩＤ）についての応答時間を応答時間記憶部２１から取得し、設定された表示間隔（２０秒）に直前の工程ＩＤの応答時間を加算するとともに、次の工程ＩＤの応答時間を減じて待機時間を算出する。そして、表示制御手段２２は算出した待機時間だけ処理を待つ（Ｓ６）。そして、待機時間の経過後、進捗情報を画面に表示する（Ｓ７）。
【００３３】
続いて、表示制御手段２２は、一時的に保持してある進捗情報要求時刻と進捗情報受信時刻の差である差分時間を応答時間として算出し、工程ＩＤと対応付けて応答時間記憶部２１に登録する（Ｓ８）。応答時間記憶部２１にその工程ＩＤについての応答時間が記録されている場合は、新たに算出した応答時間で、既に記録されている応答時間に上書きすることにより、応答時間を更新する。
【００３４】
このような処理を事前に設定されている工程ＩＤの進捗情報全てに対して実行することにより、設定された全ての工程についての進捗情報が表示端末２０において表示されることになる。
【００３５】
図６は、表示制御手段２２による表示制御処理と、実際の画面表示との関係を示す図である。図６（ａ）は、従来の表示制御による場合、図６（ｂ）は、本発明の表示制御による場合である。図６（ａ）（ｂ）ともに工程Ａ、工程Ｂ、工程Ｃ、工程Ｄの４つの工程を循環表示し、各工程の応答時間がそれぞれ５秒、５秒、０秒、１０秒である場合を示している。
【００３６】
図６（ａ）に示すように、従来の場合は、全ての工程について２０秒間隔で表示制御を行ったとしても、応答時間の分だけ遅れるため、実際の画面表示は、工程Ａが２０秒、工程Ｂが１５秒、工程Ｃが３０秒、工程Ｄが１５秒となる。この表示時間が延々と繰り返されることになる。
【００３７】
本発明の場合は、上述のように、設定された表示間隔（２０秒）に直前の工程ＩＤの応答時間を加算するとともに、次の工程ＩＤの応答時間を減じて待機時間を算出する。そのため、表示制御の開始時から各工程１周りするまでは、従来と同様の表示時間となるが、２周り目以降は、算出された待機時間に従って表示が行われる。本発明の場合は、図６（ｂ）に示すように、２周り目になると、工程Ｂの待機時間＝設定表示時間（２０秒）＋工程Ａの応答時間（５秒）−工程Ｂの応答時間（５秒）＝２０秒となり、表示制御手段２２は、工程Ａの表示から２０秒後に工程Ｂの表示処理を行う。
【００３８】
同様に、工程Ｃの待機時間＝設定表示時間（２０秒）＋工程Ｂの応答時間（５秒）−工程Ｃの応答時間（０秒）＝２５秒となり、表示制御手段２２は、工程Ｂの表示から２５秒後に工程Ｃの表示処理を行う。同様に、工程Ｄの待機時間＝設定表示時間（２０秒）＋工程Ｃの応答時間（０秒）−工程Ｄの応答時間（１０秒）＝１０秒となり、表示制御手段２２は、工程Ｃの表示から１０秒後に工程Ｄの表示処理を行う。同様に、工程Ａの待機時間＝設定表示時間（２０秒）＋工程Ｄの応答時間（１０秒）−工程Ａの応答時間（５秒）＝２５秒となり、表示制御手段２２は、工程Ｄの表示から２５秒後に工程Ａの表示処理を行う。このような処理を繰り返し行うことにより、各工程の実際の画面表示の時間は、設定された表示時間（２０秒）となる。
【００３９】
表示制御手段２２が、各工程の応答時間を算出して応答時間記憶部２１に登録しておき、設定された表示間隔に直前の工程ＩＤの応答時間を加算するとともに、次の工程ＩＤの応答時間を減じた待機時間だけ遅らせて進捗情報を表示させるようにしたので、進捗情報表示装置２０においては、複数の進捗情報を循環的に切替表示する際、常に一定の時間間隔（本実施形態では２０秒）で切り替えることが可能となる。この結果、進捗情報表示制御システム１００によれば、図２に示すように、業務開始時においても、業務終了時においても、常に一定の時間間隔（２０秒）で表示が切り替わることになる。
【産業上の利用可能性】
【００４０】
本発明は、所定の情報を順次切り替えて表示する技術に関し、特に、個々の表示内容による処理負荷に影響されず、一定時間毎に表示を切り替える技術であるため、業務の進捗管理を行う産業に利用可能である。
【符号の説明】
【００４１】
１０・・・進捗情報管理サーバ
１１・・・進捗情報データベース
１３・・・進捗情報取得手段
１４・・・進捗情報送信手段
２０・・・進捗情報表示装置
２１・・・応答時間記憶部
２２・・・表示制御手段
３０・・・工程管理端末
４０・・・通信ネットワーク
１００・・・進捗情報表示制御システム
【図１】
2012053805.tif 000003
【図２】
2012053805.tif 000004
【図３】
2012053805.tif 000005
【図４】
2012053805.tif 000006
【図５】
2012053805.tif 000007
【図６】
2012053805.tif 000008